(57)【要約】【課題】  リサイクルショップの店頭など、外出先で見つけた商品がいくらで売れるか簡単に調べることができる装置を提供する。【解決手段】  出品情報提供装置３０は、携帯端末５から商品を特定する商品特定情報を受信する受信部３１と、受信した商品特定情報に基づき、オンラインショップにおけるその商品の出品価格を取得するオンラインショップ情報取得部３３と、オンラインオークションでの落札価格などの情報を取得するオークション情報取得部３４と、取得した情報を携帯端末５に送る送信部３２とを有する。これによって、ユーザは、店頭で簡単に商品の出品価格などの値段を検索することができる。【選択図】  図４
2007026257.tif 000002
【特許請求の範囲】
【請求項１】
複数の出品者が商品を出品可能なオンラインショップと、携帯端末とにオンラインで接続される出品情報提供装置であって、
前記携帯端末から商品を特定する商品特定情報を受信する受信手段と、
受信した前記商品特定情報に基づき、前記オンラインショップにおける前記商品の情報を取得する商品情報取得手段と、
取得した前記商品情報を、前記携帯端末に送信する送信手段とを有することを特徴とする出品情報提供装置。
【請求項２】
複数の出品者が商品を出品可能なオンラインオークションと、携帯端末とにオンラインで接続される出品情報提供装置であって、
前記携帯端末から商品を特定する商品特定情報を受信する受信手段と、
受信した前記商品特定情報に基づき、前記オンラインオークションにおける前記商品の情報を取得する商品情報取得手段と、
取得した前記商品情報を、前記携帯端末に送信する送信手段とを有することを特徴とする出品情報提供装置。
【請求項３】
複数の出品者が商品を出品可能なオンラインショップと、携帯端末とにオンラインで接続されるコンピュータで実行され、
前記携帯端末から商品を特定する商品特定情報を受信する受信ステップと、
受信した前記商品特定情報に基づき、前記オンラインショップにおける前記商品の情報を取得する商品情報取得ステップと、
取得した前記商品情報を、前記携帯端末に送信する送信ステップとを有することを特徴とする出品情報提供プログラム。
【請求項４】
複数の出品者が商品を出品可能なオンラインオークションと、携帯端末とにオンラインで接続されるコンピュータで実行され、
前記携帯端末から商品を特定する商品特定情報を受信する受信ステップと、
受信した前記商品特定情報に基づき、前記オンラインオークションにおける前記商品の情報を取得する商品情報取得ステップと、
取得した前記商品情報を、前記携帯端末に送信する送信ステップとを有することを特徴とする出品情報提供プログラム。
【請求項５】
複数の出品者が商品を出品可能なオンラインショップと、携帯端末とにオンラインで接続される出品情報提供装置であって、
前記携帯端末から商品を特定する商品特定情報を受信する受信手段と、
受信した前記商品特定情報に基づき、前記オンラインショップにおける前記商品の情報を取得する商品情報取得手段と、
取得した前記商品情報を、前記携帯端末に送信する送信手段とを有し、
前記携帯端末で、「＊」または「＃」のキーが押されて前記商品特定情報が入力されたとき、「＊」または「＃」を「Ｘ」に代えて検索することを特徴とする出品情報提供装置。
【発明の詳細な説明】
【技術分野】
【０００１】
本発明は、オンラインショップやオンラインオークションに出品しようとするユーザに、出品商品の情報を提供する出品情報提供装置に関する。
【背景技術】
【０００２】
従来から、インターネットを介して商品を販売するオンラインショップが多く存在する。オンラインショップは、ユーザがインターネットを介してオンラインショップのサーバに接続して商品を閲覧し、購入するシステムとなっている。このようなユーザが商品を購入するだけのオンラインショップに対して、最近では、ＣｔｏＣ（ｃｏｎｓｕｍｅｒ  ｔｏ    
ｃｏｎｓｕｍｅｒ）などと呼ばれ、ユーザがユーザに商品を販売できるオンラインショップが存在する。
【０００３】
たとえば、特許文献１には、複数の出品者が出品可能なオンラインショップ（マーケットプレイス）が開示されている。このオンラインショップでは、１商品につき１ページの商品ページが作成され、１つの商品ページには、商品名や、商品内容、評価などのその商品に関連する情報がウェブページで表示される。この商品を購入したいユーザは、このページから購入することが可能である。
【０００４】
その商品と同じ商品を持っていて販売したいと考えているユーザは、出品者名、その商品のコンディション、商品価格を登録することで販売可能となる。なお、コンディションとは、中古品である場合、「良い」とか「非常に良い」といった商品の状態を表す情報である。
【０００５】
前記商品ページには、その商品と同じ商品を出品する出品者の販売ページがリンクされており、出品者の販売ページを開くと、出品者名、コンディション、価格が一行であらわされる出品リストが表示される。購入したいユーザは、ここで気に入った商品を選択することで、出品者から商品を購入することができる。
【０００６】
このようにユーザが商品を出品して他のユーザに販売するビジネスモデルは、オンラインショップに限らず、たとえば特許文献２に記載されるようなオンラインオークションでも可能である。
【０００７】
ユーザが出品する商品は、読み終わった本や、聴かなくなったＣＤ（ｃｏｍｐａｃｔ  ｄｉｓｋ）など、家庭にあるものが多いが、最近は、このようなリサイクルだけでなく、ビジネスとして、街で商品を仕入れてオンラインショップやオンラインオークションで販売するといったことも広く行われるようになってきている。たとえば、リサイクルショップやフリーマーケットで購入し、それを出品するといった場合である。購入価格と販売価格との差が利益となるわけである。
【０００８】
【特許文献１】特表２００５−５０８０３８号公報
【特許文献２】特開２００１−１０１３１７号公報
【発明の開示】
【発明が解決しようとする課題】
【０００９】
オンラインショップでは、一般に最も安い商品から売れていく。つまり、出品商品の最安値が販売価格の目安となる。また、オークションでは、過去の落札価格などが目安となる。したがって、出品商品の最安値や過去の落札価格よりも安く購入することができれば利益を確保しやすくなる。逆に、仕入れ値が出品商品の最安値よりも高いと損失を出してしまう。
【００１０】
ここで問題なのは、店で商品を購入するときには、出品商品の最安値がいくらか、過去の落札価格がいくらかといったことがわからないことである。リサイクルショップやフリーマーケットに何が売られているかは、あらかじめ知る事ができず、購入して家に持って帰ってきてインターネットで調べてはじめていくらで売れるのかわかるからである。
【００１１】
したがって、リサイクルショップで安く売られていて、「これをインターネットで売れば儲かる」と思って購入したが、家に帰って調べてみると、思ったほど高く売れないとわかって損失をだしてしまうといった問題がよく起こる。これを回避するために、高く売れる商品を覚えておいたり、メモに書いておいて店で高く売れる商品を探すといったことも行われているが、探している商品が運よく見つかるといったことはほとんどないのが現状である。
【００１２】
本発明の目的は、店頭などで見つけた商品を、その場でいくらで売れるか容易に判断することができる装置を提供することである。
【課題を解決するための手段】
【００１３】
上記目的を達成するための第１の課題解決手段は、複数の出品者が商品を出品可能なオンラインショップと、携帯端末とにオンラインで接続される出品情報提供装置であって、
前記携帯端末から商品を特定する商品特定情報を受信する受信手段と、
受信した前記商品特定情報に基づき、前記オンラインショップにおける前記商品の情報を取得する商品情報取得手段と、
取得した前記商品情報を、前記携帯端末に送信する送信手段とを有することを特徴とするものである。
【００１４】
また、第２の課題解決手段は、複数の出品者が商品を出品可能なオンラインオークションと、携帯端末とにオンラインで接続される出品情報提供装置であって、
前記携帯端末から商品を特定する商品特定情報を受信する受信手段と、
受信した前記商品特定情報に基づき、前記オンラインオークションにおける前記商品の情報を取得する商品情報取得手段と、
取得した前記商品情報を、前記携帯端末に送信する送信手段とを有することを特徴とする。
【００１５】
さらに、第３の課題解決手段は、複数の出品者が商品を出品可能なオンラインショップと、携帯端末とにオンラインで接続されるコンピュータで実行され、
前記携帯端末から商品を特定する商品特定情報を受信する受信ステップと、
受信した前記商品特定情報に基づき、前記オンラインショップにおける前記商品の情報を取得する商品情報取得ステップと、
取得した前記商品情報を、前記携帯端末に送信する送信ステップとを有することを特徴とするものである。
【００１６】
さらにまた、第４の課題解決手段は、複数の出品者が商品を出品可能なオンラインオークションと、携帯端末とにオンラインで接続されるコンピュータで実行され、
前記携帯端末から商品を特定する商品特定情報を受信する受信ステップと、
受信した前記商品特定情報に基づき、前記オンラインオークションにおける前記商品の情報を取得する商品情報取得ステップと、
取得した前記商品情報を、前記携帯端末に送信する送信ステップとを有することを特徴とするものである。
【００１７】
さらにまた、第５の課題解決手段は、複数の出品者が商品を出品可能なオンラインショップと、携帯端末とにオンラインで接続される出品情報提供装置であって、
前記携帯端末から商品を特定する商品特定情報を受信する受信手段と、
受信した前記商品特定情報に基づき、前記オンラインショップにおける前記商品の情報を取得する商品情報取得手段と、
取得した前記商品情報を、前記携帯端末に送信する送信手段とを有し、
前記携帯端末で、「＊」または「＃」のキーが押されて前記商品特定情報が入力されたとき、「＊」または「＃」を「Ｘ」に代えて検索することを特徴とする出品情報提供装置。
【００１８】
上記第１および第３の課題解決手段によれば、携帯電話などの携帯端末から商品名などの商品を特定する情報を送ると、出品情報提供装置は、その商品のオンラインショップでの最安値などの商品情報を携帯端末に送り返す。したがって、ユーザはリサイクルショップやフリーマーケットなどで見つけた商品を、その場でいくらで売れるか容易に知る事が出来るので、確実に利益になる商品のみを購入することができる。
【００１９】
上記第２および第３の課題解決手段によれば、同様に、オンラインオークションでの落札価格などの情報を店頭で確認できるので、確実に利益になる商品のみを購入することができる。
【００２０】
上記第５の課題解決手段によれば、「＊」または「＃」が入力されると「Ｘ」に代えて検索する。したがって、商品を特定する情報としてＩＳＢＮコードを入力する場合、コードに「Ｘ」が含まれる場合であっても、「＊」や「＃」など、数字キー同等に配置されるキーで入力することができるので、アルファベットを入力するためにわずらわしいキー操作が省かれ、効率よく検索することができる。
【発明の効果】
【００２１】
本発明によれば、高値で売れる商品を覚えておいたり、メモに書いて持ち歩いたりする必要なく、店頭で見つけた商品を、その場でいくらで売れるか検索できるので、確実に利益になる商品のみを購入することができる。
【発明を実施するための最良の形態】
【００２２】
図１は、本発明の出品情報提供援装置が適用される環境を示すネットワーク図である。この図を参考にして、まずは、本発明が前提とするオンラインショップの動作について説明する。オンラインショップのサーバ１、オンラインオークションのサーバ６と本発明の実施の一形態である出品情報提供装置２とはインターネットなどのネットワーク３を介して接続される。また、オンラインオークションの落札価格などの情報を収集するオークション情報収集サーバ７、およびオンラインショップに商品を出品するユーザのＰＣ（ｐｅｒｓｏｎａｌ  ｃｏｍｐｕｔｅｒ）４もネットワーク３に接続される。さらに、ユーザの持つ携帯端末５も無線でネットワーク３に接続される。携帯端末５は、携帯電話、ＰＨＳ（ｐｅｒｓｏｎａｌ  ｈａｎｄｙｐｈｏｎｅ  ｓｙｓｔｅｍ）、ＰＤＡ（ｐｅｒｓｏｎａｌ  ｄｉｇｉｔａｌ  ａｓｓｉｓｔａｎｃｅ）など、携帯可能で無線でインターネットに接続可能な端末である。
【００２３】
図２は、ＰＣ４で表示されるオンラインショップの商品ページを示す図である。ユーザのＰＣ４では、ブラウザなどでオンラインショップの商品ページ１０を閲覧する。一つの商品に対して一つの商品ページ１０が作成され、ユーザは商品名などから検索して商品ページ１０を表示させる。
【００２４】
商品ページ１０には、商品名１１、商品写真１２、価格１６などが表示される。さらに、その商品の説明として、商品内容や、評価（レビュー）、売り上げランキングなどが表示される。また、注文してから発送されるまでの期間である発送時期、出品者から中古品が出品されている場合には、中古品の価格１３などの情報も表示される。商品内容は、その商品の製造元から提供されたものや、オンラインショップで作成したものである。評価は、その商品を使ったことのあるユーザが、たとえば５段階で評価したものである。売り上げランキングは、このオンラインショップでの売り上げを示すものである。これらを参考にしてユーザは商品を購入することができる。
【００２５】
オンラインショップのサーバ１は、商品に関連して商品名や価格など、上記した情報をデータベースに記憶しており、ユーザのＰＣ４から商品が指定されると、データベースから関連する情報を取り出し、商品ページ１０を動的に生成する。
【００２６】
オンラインショップで販売される商品としては、書籍、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｃ）、ビデオ、ソフトウェア、電化製品、おもちゃ、チケットなど様々な商品がある。商品ページ１０を表示するには、商品名など商品を特定する情報を入力して検索するが、たとえば書籍の場合には、ＩＳＢＮコード（Ｉｎｔｅｒｎａｔｉｏｎａｌ  Ｓｔａｎｄａｒｄ  Ｂｏｏｋ  Ｎｕｍｂｅｒ：日本図書コード）、または書籍タイトルと著者の組み合わせなど、商品を特定する情報であれば他の方法で検索することも可能である。また、ＣＤやＤＶＤなどの場合には、製造元が設定したコードを商品特定情報として使用することができ、電化製品の場合には、型番などを商品特定情報として使用することができる。さらにまた、商品名の一部や商品の特徴を商品を特定する情報として入力し、それに該当するものが複数存在する場合、それをリストで表示し、その中からユーザが選択して商品を特定するように構成してもよい。
【００２７】
商品ページ１０には、注文ボタン１５があり、ユーザはこの注文ボタン１５を押して商品を注文することができる。ここで注文すると、このオンラインショップから購入することになる。このオンラインショップでは、ショップから直接購入するだけでなく、このショップに出品する出品者から購入することも可能である。商品ページ１０の中古価格１３にはリンクが張ってあり、このリンク先のページが、この商品と同じ商品を出品者が販売する出品者の販売ページとなっている。
【００２８】
図３は、中古価格１３のリンク先である出品者の販売ページを示す図である。出品者の販売ページのページ先頭には商品名２０が記載され、その下には、出品者の商品情報のリストが表示される。このリストは、一行に一つの出品情報が記載される。出品情報は、出品価格２１、コンディション２２、出品者名２３、コメント２４などを有し、さらに注文ボタン２５が設けられる。
【００２９】
出品価格は、その商品の販売価格であり、出品者が自分で決めたものである。コンディションは、その商品の状態であり、大きく「中古」「コレクター」の二つに分類され、それぞれ、「新品」「ほぼ新品」、「非常に良い」、「良い」、「可」など状態の良し悪しのランクで表される。これも出品者自身が決める。なお、「コレクター」とは、サイン入りなど付加価値の付いたものであり、オンラインショップの販売価格より高い値段で出品することができるものである。コメントは、商品の状態をさらに詳しく文章で説明するものであり、必要に応じて出品者が記載する。出品者の情報としては、出品者名２３だけでなく、出品者の評価などを表示するようにしてもよい。出品者の評価とは、この出品者から商品を購入したことのあるユーザが取引内容を、たとえば５段階で評価するものである。たとえば、この評価の平均値、および評価回数を出品者情報として表示する。
【００３０】
こういった情報が、出品商品に関連してオンラインショップのサーバ１のデータベースに記録されており、ＰＣ４から出品者の販売ページの表示が指示されると、サーバ１は、データベースから必要な情報を取得して動的に販売ページを生成する。商品のリストは、たとえば販売価格の安い順に並ぶように表示され、最も価格の安い商品が最も上に表示されるようになる。また、１ページの商品の表示数も、たとえば５品とあらかじめ決められており、それより多い商品が出品されている場合には、「次ページ」などとリンクが表示され、このリンク先に残りの商品が表示されるようになっている。
【００３１】
つぎに、オンラインオークションのサーバ６およびオークション情報収集サーバ７について説明する。オンラインオークションは、ユーザが自分の商品を出品し、他のユーザが落札して取引が成立する。オークションであるので、出品者が開始価格を設定し、落札しようとするユーザが、落札希望額を提示し、最も高い落札希望額を提示したユーザが落札者となる。
【００３２】
出品者はそれぞれ自分のＰＣ４でオンラインオークションのサーバ２にアクセスし、商品名、商品の説明、開始価格を設定する。一つの商品に対し、一つの商品ページが作成され、この商品ページに商品名、商品写真、商品の説明、開始価格、現在の価格、オークション終了日時などの情報が記載される。落札しようとするユーザは、商品名などで商品を検索して商品ページを表示し、そこから入札する。そして、オークション終了時刻に一番高い額の入札をしていた人が落札者となる。
【００３３】
オークション情報収集サーバ７は、オンラインオークションのサーバ６にアクセスし、現在出品されている商品と、その現在価格、さらに過去に落札された商品とその落札価格の情報を収集してデータベースに格納している。過去の落札価格としては、一定期間、たとえば過去３０日、過去６０日、過去半年、過去１年などの期間での全ての商品の落札価格、平均落札価格などの情報を蓄えている。そして、商品名などを指定すると、その商品の現在の価格、過去の落札価格、平均落札価格などの情報を送り返す機能を有する。
【００３４】
図４は、出品情報提供プログラムの構成を示すブロック図である。出品装置提供装置２は、ネットワーク３に接続されるコンピュータであり、出品情報提供プログラム３０が実行され、携帯端末５からの要求に応えるサーバとして機能する。
【００３５】
出品情報提供プログラム３０は、携帯端末５からの情報を受信する受信部３１、携帯端末に情報を送信する送信部３２、オンラインショップのサーバ１にアクセスし、オンラインショップに出品されている商品の情報を取得するオンラインショップ情報取得部３３、およびオークションの情報収集サーバ７にアクセスし、落札価格などの情報を取得するオークション情報取得部３４とを有する。
【００３６】
オンラインショップのサーバ１は、ＩＳＢＮや商品名などの情報を受け取ると、それを基に検索し、その商品の出品価格の情報などを返す出品情報検索機能を有し、オンラインショップ情報取得部３３は、この機能を使って出品商品の情報を取得する。同様に、オークション情報収集サーバ７は、商品名などの情報を受け取ると、それを基に検索し、その商品の過去の落札価格を返す落札情報検索機能を有し、オークション情報取得部３４は、この機能を使ってオークション情報を取得する。
【００３７】
つぎに、出品情報提供装置２の具体的な使用方法について詳細に説明する。ユーザが、リサイクル店やフリーマーケットなどで安い商品を見つけたとする。そんな場合、携帯電話などの携帯端末５を使い、出品情報提供装置２にアクセスし、店頭での価格がオンラインショップの出品価格より安いかどうか調べ、安くて十分な利益が見込める場合に購入する。
【００３８】
図５は、携帯端末５で出品情報提供装置２を使用するときの検索ページを示す図である。  ここでは、ユーザが本を検索する場合について説明する。まず、ＩＳＢＮ入力部４０に調べたい本のＩＳＢＮコードを入力する。なお、ＩＳＢＮコードは、数字だけでなく「Ｘ」を入力する場合もあるが、本実施形態では、「＊」または「＃」のキーが押されて入力されたとき、出品情報提供装置２は、「Ｘ」に変換するようになっている。これによって、携帯電話など、アルファベットを入力するのに、数字からアルファベットに入力方法を変更してから入力するといった手間がかかる場合でも、数字キーと同列に配置される「＊」キーまたは「＃」キーで簡単に「Ｘ」を入力することができる。
【００３９】
つぎに、チェックボタン４２〜４４が本の４２にチェックされているのを確認して、検索ボタン４１を押す。なお、ＣＤを検索する場合には、チェックボタン４３にチェックを入れ、ＤＶＤを検索する場合には、チェックボタン４４にチェックを入れる。また、検索ボタン４１は、携帯電話の数字キーの０でも代用できるようになっている。これによって、矢印キーでボタンを指定する手間が省け、操作性が向上される。
【００４０】
検索ボタン４１を押すと、入力されたＩＳＢＮが出品情報提供プログラム３０の受信部３２で受信される。受信部３２で受信したＩＳＢＮは、オンラインショップ情報取得部３３に渡され、さらにオンラインショップのサーバ１の出品情報検索機能を使い、出品情報を検索する。検索結果は、送信部３２によって携帯端末５に返される。
【００４１】
図６は、オンラインショップ情報取得部３３による検索結果の表示画面を示す図である。画面の一番上に、入力したＩＳＢＮ番号５０が表示される。ここでＩＳＢＮ番号の入力間違いがないか確認することができる。その下に、書名・タイトル５１が表示される。その次の５２には、オンラインショップで品切れかどうかが表示される。品切れであると、高値で売れる確率が高くなるので、この表示は購入するかどうか決めるのに大いに役立つ。
【００４２】
その次にオンラインショップでの総出品数５３が表示される。総出品数が多いほど、価格が下がり安いという傾向があるので、この表示も購入するのに大いに参考になる。その下には、おすすめ度５４が表示される。これはカスタマーレビュー（評価）の平均値である。これも、おすすめ度が高いほど売れ易くなるので、購入するのに参考になる。
【００４３】
その下には、カスタマーレビュー数（評価）５５が表示される。カスタマーレビュー数は、レビュー（評価）の書き込み数を表し、これも書き込み数が多いほど、その商品に対するユーザの関心が高いことを示し、カスタマーレビュー数が多いほど売れ易いと判断でき、これも購入の参考になる。
【００４４】
その下には、ランキング５６が表示される。これは、オンラインショップでの売上ランキングであり、ランキングが高い良く売れていることを示しているので、大いに購入の参考になる情報である。
【００４５】
その下には、予約注文価格５７が表示される。オンラインショップでは、商品を購入するユーザは予約注文することができる。予約注文とは、ユーザが自分で買いたい値段とコンディションをあらかじめオンラインショップに登録しておき、その条件にあう商品が出品されたとき、ユーザはその商品を購入するというシステムである。商品を出品するとき、その商品の条件に合う予約注文が入っている場合、オンラインショップではその事を出品者に通知するシステムとなっている。この機能を利用し、たとえばコンディション「良い」で出品することで、その商品の予約注文の値段を知ることが出来る。
【００４６】
したがって、オンラインショップ情報取得部３０は、この方法をつかって、「良い」で出品した場合の予約注文価格を取得し、それを予約注文価格５７として表示する。予約注文価格は、コンディションが同等または上で、かつ予約注文価格よりも安い値段で出品すれば、必ず購入者がいることを示す情報なので、これも購入の際に大いに参考になる情報である。
【００４７】
その下には、出品価格５８が最大５つ、安い順に表示される。通常、最も安い商品から売れていくので、この最安値が最も参考になる情報である。なお、価格の前に表示される「Ｕ」はＵＳＥＤ、つまり中古を示す。なおコレクションの場合は「Ｃ」が表示される。また、価格の後にはその商品のコンディションが表示される。
【００４８】
その下には、図５と同様の検索画面が表示される。したがって、ここに先ほどと同様にＩＳＢＮを入力して引き続いて検索することができる。
【００４９】
さらにその下には、オークションでの落札相場ボタン６１が表示される。このボタン６１を押すと、その本のタイトルが出品情報提供プログラム３０の受信部３１で受信され、受信したタイトルがオークション情報取得部３４に渡され、オークション情報収集サーバ７で検索される。そして、たとえば最近３０日の落札価格が検索され、送信部３２を介して携帯端末５に送られて表示される。
【００５０】
表示結果としては、オークションの商品タイトルと、落札価格、落札日、入札件数などである。オンラインショップに出品されていない場合であっても、この落札価格がわかればその商品の相場がわかるので、購入するのに大いに参考になる。またオンラインショップだけでなく、オークションに出品する場合の参考にもなる。
【００５１】
図７は、携帯端末での機能選択ページを示す図である。出品情報提供プログラム３０を使用するには、まず最初にこのページ７０で機能の選択を行う。
【００５２】
出品情報提供プログラム３０は、ＩＳＢＮ検索機能、出品数表示機能、価格表示機能、売上ランキング表示機能、おすすめ度表示機能、レビュー数表示機能、発送可能時期表示機能、オンラインショップ品切れ表示機能、オークション相場連動機能、予約注文価格表示機能、同時複数検索機能、ＣＤ・ＤＶＤ検索機能を有し、これらの機能のうち、どれを使うか選択することができる。
【００５３】
図７に示されるように、機能選択ページには、上から順に詳細表示版ボタン７１、シンプル版ボタン７２、複数検索版ボタン７３、予約注文版ボタン７４、カスタム版ボタン７５が表示される。詳細表示版とは、上記した機能のうち、予約注文価格表示機能と同時複数検索機能以外の全ての機能が使用できるものである。なお、価格表示機能は、最大５件表示可能である。詳細表示版ボタン７１を押した先のページは、図５に示す検索ページが表示され、ここでＩＳＢＮを入力して検索すると、詳細表示版で選択される機能で検索することができる。詳細表示機能としては、上記したもの以外に、出版年や発行年といった情報を表示するようにしてもよい。
【００５４】
シンプル版とは、最大５件の価格表示機能とオンラインショップ品切れ表示機能とＣＤ・ＤＶＤ検索機能のみに特化したもので、表示項目が少なく見やすいという特徴を有する。これは、シンプル版ボタン７２を押した先の検索ページから検索する。
【００５５】
複数検索版は、シンプル版に同時複数検索機能を追加したものである。同時複数検索機能とは、ＩＳＢＮをスペースで区切って複数入力することで、まとめて複数の出品情報を得ることができる機能である。この機能は、たとえば電波状況が悪く、検索に時間がかかるような店で使用するときに有用で、複数まとめて入力した状態で、電波状態の良い場所で検索するといった使い方ができる。この複数検索版は、複数検索版ボタン７３を押したさきの検索ページから検索することができる。
【００５６】
予約注文版とは、詳細版の機能に予約注文価格表示機能を追加したもので、予約注文版ボタン７４を押した先のページで検索する。なお、図６で説明した検索結果は、この予約注文版での検索結果である。先に説明したように、予約注文がわかることで、確実に売れる商品を知ることができる。
【００５７】
カスタマイズ版とは、多くの機能の中からユーザが必要な機能を任意に選択できるものであり、選択可能な機能は、価格表示件数指定機能、売上ランキング表示機能、おすすめ度表示機能、レビュー数表示機能、発送可能時期表示機能、オークション相場連動機能、予約注文価格表示機能、同時複数検索機能である。それぞれ、カスタム版ボタン７５の下にある価格表示件数７６、ＩＳＢＮ複数入力７７、発送可能時期７８、おすすめ度７９、カスタマーレビュー数８０、売上ランキング８１、予約注文価格８２、オークション相場８３のチェックボックスで選択する。選択した後、カスタム版ボタン８５または８４を押した先の検索ページで検索すると、選択した機能のみで検索が実行される。
【００５８】
なお、機能選択後のページを、ブックマークなどでＵＲＬを記憶させておくことで、次から機能選択後のページを直接表示させることができる。
【００５９】
本発明の出品商品情報提供プログラム３０は、ＣＤ−ＲＯＭ（Ｃｏｍｐａｃｔ  Ｄｉｓｋ−Ｒｅａｄ  Ｏｎｌｙ  Ｍｅｍｏｒｙ）などの記憶媒体に記憶されて配布されても良く、サーバに保存され、ネットワーク経由で配布されてもよい。
【産業上の利用可能性】
【００６０】
上述したように、本発明の出品情報提供装置を使えば、携帯電話などユーザが外出するときに所持する携帯端末でオンラインショップでの商品の出品価格やオンラインオークションでの商品の落札価格を知ることができる。これによって、リサイクルショップやフリーマーケットなどで見つけた商品をその場で検索して、オンラインショップやオンラインオークションなどで売った場合に確実に利益になる商品のみを選ぶことができる。
【００６１】
いままでは、家庭でいらなくなった商品はリサイクルショップやフリーマーケットなどを通じてリサイクルされていたが、本発明を用いれば、インターネットを介して国内、国外問わず広範囲でリサイクルされることになる。
【００６２】
また、一般の人が容易にリサイクル産業に参入することができるようにもなる。
【図面の簡単な説明】
【００６３】
【図１】本発明の出品情報提供援装置が適用される環境を示すネットワーク図である。
【図２】オンラインショップの商品ページを示す図である。
【図３】出品者の販売ページを示す図である。
【図４】出品情報提供プログラムのブロック図である。
【図５】携帯端末で出品情報提供装置を使用するときの検索ページを示す図である。
【図６】オンラインショップ情報取得部による検索結果の表示画面を示す図である。
【図７】携帯端末での機能選択ページを示す図である。
【符号の説明】
【００６４】
１  オンラインショップのサーバ
２  出品情報提供装置
３  ネットワーク
４  ＰＣ
５  携帯端末
６  オンラインオークションのサーバ
７  オークション情報収集サーバ
３０  出品情報提供プログラム
３１  受信部
３２  送信部
３３  オンラインショップ情報取得部
３４  オークション情報取得部
【図１】
2007026257.tif 000003
【図２】
2007026257.tif 000004
【図３】
2007026257.tif 000005
【図４】
2007026257.tif 000006
【図５】
2007026257.tif 000007
【図６】
2007026257.tif 000008
【図７】
2007026257.tif 000009
【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
ユーザが商品を出品して他のユーザに自分の商品を販売することができるオンラインショップのサーバと携帯端末とにネットワークを介して接続される出品情報提供装置であって、
前記オンラインショップのサーバは、商品に対応した商品特定情報と、その商品の出品価格とをデータベースに記憶しており、
前記出品情報提供装置は、前記携帯端末から商品を特定する商品特定情報を受信する受信手段と、
受信した前記商品特定情報で、前記ネットワークを介して前記オンラインショップのサーバを検索し、前記商品特定情報に対応した商品の出品価格を取得する出品価格取得手段と、
取得した商品の出品価格を、前記携帯端末に送信する送信手段とを有し、
ユーザは、店頭で見つけた商品の商品特定情報を携帯端末から前記出品情報提供装置に送信することでその商品のオンラインショップでの出品価格を取得し、その商品の仕入れの判断を店頭で行うことができることを特徴とする出品情報提供装置。
【請求項２】
ユーザが商品を出品して他のユーザに自分の商品を販売することができるオンラインオークションの落札価格を記憶するサーバと携帯端末とにネットワークを介して接続される出品情報提供装置であって、
前記オンラインオークションの落札価格を記憶するサーバは、商品の名称と、その商品の落札価格とをデータベースに記憶しており、
前記出品情報提供装置は、前記携帯端末から商品の名称を受信する受信手段と、
受信した商品の名称で、前記オンラインオークションの落札価格を記憶するサーバを検索し、前記商品の落札価格を取得する落札価格取得手段と、
取得した商品の落札価格を、前記携帯端末に送信する送信手段とを有し、
ユーザは、店頭で見つけた商品の名称を携帯端末から前記出品情報提供装置に送信することでその商品の落札価格を取得し、その商品の仕入れの判断を店頭で行うことができることを特徴とする出品情報提供装置。
【請求項３】
ユーザが商品を出品して他のユーザに自分の商品を販売することができるオンラインショップのサーバと携帯端末とにネットワークを介して接続されるコンピュータで実行される出品情報提供プログラムであって、
前記オンラインショップのサーバは、商品に対応した商品特定情報と、その商品の出品価格とをデータベースに記憶しており、
前記出品情報提供装置は、前記携帯端末から商品を特定する商品特定情報を受信する受信ステップと、
受信した前記商品特定情報で、前記ネットワークを介して前記オンラインショップのサーバを検索し、前記商品特定情報に対応した商品の出品価格を取得する出品価格取得ステップと、
取得した商品の出品価格を、前記携帯端末に送信する送信ステップとを有し、
ユーザは、店頭で見つけた商品の商品特定情報を携帯端末から前記出品情報提供プログラムが実行されるコンピュータに送信することでその商品のオンラインショップでの出品価格を取得し、その商品の仕入れの判断を店頭で行うことができることを特徴とする出品情報提供プログラム。
【請求項４】
ユーザが商品を出品して他のユーザに自分の商品を販売することができるオンラインオークションの落札価格を記憶するサーバと携帯端末とにネットワークを介して接続されるコンピュータで実行される出品情報提供プログラムであって、
前記オンラインオークションの落札価格を記憶するサーバは、商品の名称と、その商品の落札価格とをデータベースに記憶しており、
前記出品情報提供装置は、前記携帯端末から商品の名称を受信する受信ステップと、
受信した商品の名称で、前記オンラインオークションの落札価格を記憶するサーバを検索し、前記商品の落札価格を取得する落札価格取得ステップと、
取得した商品の落札価格を、前記携帯端末に送信する送信ステップとを有し、
ユーザは、店頭で見つけた商品の名称を携帯端末から前記出品情報提供プログラムが実行されるコンピュータに送信することでその商品の落札価格を取得し、その商品の仕入れの判断を店頭で行うことができることを特徴とする出品情報提供プログラム。
【手続補正２】
【補正対象書類名】明細書
【補正対象項目名】００１３
【補正方法】変更
【補正の内容】
【００１３】
上記目的を達成するための第１の課題解決手段は、ユーザが商品を出品して他のユーザに自分の商品を販売することができるオンラインショップのサーバと携帯端末とにネットワークを介して接続される出品情報提供装置であって、
前記オンラインショップのサーバは、商品に対応した商品特定情報と、その商品の出品価格とをデータベースに記憶しており、
前記出品情報提供装置は、前記携帯端末から商品を特定する商品特定情報を受信する受信手段と、
受信した前記商品特定情報で、前記ネットワークを介して前記オンラインショップのサーバを検索し、前記商品特定情報に対応した商品の出品価格を取得する出品価格取得手段と、
取得した商品の出品価格を、前記携帯端末に送信する送信手段とを有し、
ユーザは、店頭で見つけた商品の商品特定情報を携帯端末から前記出品情報提供装置に送信することでその商品のオンラインショップでの出品価格を取得し、その商品の仕入れの判断を店頭で行うことができることを特徴とする。
【手続補正３】
【補正対象書類名】明細書
【補正対象項目名】００１４
【補正方法】変更
【補正の内容】
【００１４】
また、第２の課題解決手段は、ユーザが商品を出品して他のユーザに自分の商品を販売することができるオンラインオークションの落札価格を記憶するサーバと携帯端末とにネットワークを介して接続される出品情報提供装置であって、
前記オンラインオークションの落札価格を記憶するサーバは、商品の名称と、その商品の落札価格とをデータベースに記憶しており、
前記出品情報提供装置は、前記携帯端末から商品の名称を受信する受信手段と、
受信した商品の名称で、前記オンラインオークションの落札価格を記憶するサーバを検索し、前記商品の落札価格を取得する落札価格取得手段と、
取得した商品の落札価格を、前記携帯端末に送信する送信手段とを有し、
ユーザは、店頭で見つけた商品の名称を携帯端末から前記出品情報提供装置に送信することでその商品の落札価格を取得し、その商品の仕入れの判断を店頭で行うことができることを特徴とする。
【手続補正４】
【補正対象書類名】明細書
【補正対象項目名】００１５
【補正方法】変更
【補正の内容】
【００１５】
さらに、第３の課題解決手段は、ユーザが商品を出品して他のユーザに自分の商品を販売することができるオンラインショップのサーバと携帯端末とにネットワークを介して接続されるコンピュータで実行される出品情報提供プログラムであって、
前記オンラインショップのサーバは、商品に対応した商品特定情報と、その商品の出品価格とをデータベースに記憶しており、
前記出品情報提供装置は、前記携帯端末から商品を特定する商品特定情報を受信する受信ステップと、
受信した前記商品特定情報で、前記ネットワークを介して前記オンラインショップのサーバを検索し、前記商品特定情報に対応した商品の出品価格を取得する出品価格取得ステップと、
取得した商品の出品価格を、前記携帯端末に送信する送信ステップとを有し、
ユーザは、店頭で見つけた商品の商品特定情報を携帯端末から前記出品情報提供プログラムが実行されるコンピュータに送信することでその商品のオンラインショップでの出品価格を取得し、その商品の仕入れの判断を店頭で行うことができることを特徴とする。
【手続補正５】
【補正対象書類名】明細書
【補正対象項目名】００１６
【補正方法】変更
【補正の内容】
【００１６】
さらにまた、第４の課題解決手段は、ユーザが商品を出品して他のユーザに自分の商品を販売することができるオンラインオークションの落札価格を記憶するサーバと携帯端末とにネットワークを介して接続されるコンピュータで実行される出品情報提供プログラムであって、
前記オンラインオークションの落札価格を記憶するサーバは、商品の名称と、その商品の落札価格とをデータベースに記憶しており、
前記出品情報提供装置は、前記携帯端末から商品の名称を受信する受信ステップと、
受信した商品の名称で、前記オンラインオークションの落札価格を記憶するサーバを検索し、前記商品の落札価格を取得する落札価格取得ステップと、
取得した商品の落札価格を、前記携帯端末に送信する送信ステップとを有し、
ユーザは、店頭で見つけた商品の名称を携帯端末から前記出品情報提供プログラムが実行されるコンピュータに送信することでその商品の落札価格を取得し、その商品の仕入れの判断を店頭で行うことができることを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００２０
【補正方法】削除
【補正の内容】